(57)【要約】【課題】目視による解像度（解像感）に一致する解像度を測定できるようにする。【解決手段】解像度測定対象である撮像装置により解像度測定用チャートを撮像し、そのチャート画像を入力する。前記チャート画像のコントラスト測定部分の白パッチの輝度値Ａ及び黒パッチの輝度値Ｂを算出する（ステップＳ１０２、Ｓ１０４）。白パッチと黒パッチの輝度値の差分Ｃ（＝Ａ−Ｂ）を算出し（ステップＳ１０６）、その差分Ｃ（即ち、コントラストの大きさ）に応じて解像度判定用の閾値を設定する（ステップＳ１００、Ｓ１１２）。この設定された閾値に基づいて解像度判定を行い（ステップＳ１１０）、目視による解像度（解像感）と一致する解像度測定を可能にする。【選択図】  図７
2007096699.tif 000002
【特許請求の範囲】
【請求項１】
解像度測定部分とコントラスト測定部分とを有する解像度測定用チャートを、解像度測定対象である撮像装置により撮像する工程と、
前記撮像した前記解像度測定用チャートを示すチャート画像を入力する工程と、
前記チャート画像のコントラスト測定部分の画像の輝度差又は輝度比を算出する工程と、
前記算出した輝度差又は輝度比に基づいて解像度判定用の閾値を設定する工程と、
前記チャート画像の解像度測定部分の画像の振幅値を算出する工程と、
前記算出した振幅値が前記閾値を超えるか否かによって解像しているか否かを判定する工程と、
を含むことを特徴とする解像度測定方法。
【請求項２】
前記閾値を設定する工程は、前記算出した輝度差又は輝度比が予め設定した第１の判定値を超える場合には第１の閾値を設定し、前記第１の判定値以下の場合には前記第１の閾値よりも小さい第２の閾値を設定することを特徴とする請求項１に記載の解像度測定方法。
【請求項３】
前記チャート画像のコントラスト測定部分の画像の黒部分の輝度値を求める工程を含み、前記閾値を設定する工程は、前記算出した輝度差又は輝度比と前記求めた黒部分の輝度値とに基づいて解像度判定用の閾値を設定することを特徴とする請求項１に記載の解像度測定方法。
【請求項４】
前記閾値を設定する工程は、前記算出した輝度差又は輝度比が予め設定した第１の判定値を超える場合には第１の閾値を設定し、前記算出した輝度差又は輝度比が第１の判定値以下で、かつ前記求めた黒部分の輝度値が予め設定した第２の判定値未満の場合には前記第１の閾値よりも小さい第２の閾値を設定し、前記算出した輝度差又は輝度比が第１の判定値以下で、かつ前記求めた黒部分の輝度値が前記第２の判定値以上の場合には前記第２の閾値よりも小さい第３の閾値を設定することを特徴とする請求項１に記載の解像度測定方法。
【請求項５】
解像度測定部分とコントラスト測定部分とを有する解像度測定用チャートと、
解像度測定対象である撮像装置から前記解像度測定用チャートを撮像して得たチャート画像を入力する画像入力手段と、
前記入力したチャート画像のコントラスト測定部分の画像の輝度差又は輝度比を算出する第１の算出手段と、
前記算出した輝度差又は輝度比に基づいて解像度判定用の閾値を設定する閾値設定手段と、
前記入力したチャート画像の解像度測定部分の画像の振幅値を算出する工程と、
前記算出した振幅値が前記設定した閾値を超えるか否かによって解像しているか否かを判定する解像度判定手段と、
を備えたことを特徴とする解像度測定装置。
【請求項６】
前記閾値設定手段は、前記算出した輝度差又は輝度比が予め設定した第１の判定値を超える場合には第１の閾値を設定し、前記第１の判定値以下の場合には前記第１の閾値よりも小さい第２の閾値を設定することを特徴とする請求項５に記載の解像度測定装置。
【請求項７】
前記チャート画像のコントラスト測定部分の画像の黒部分の輝度値を求める手段を更に備え、前記閾値設定手段は、前記算出した輝度差又は輝度比と前記求めた黒部分の輝度値とに基づいて解像度判定用の閾値を設定することを特徴とする請求項５に記載の解像度測定装置。
【請求項８】
前記閾値設定手段は、前記算出した輝度差又は輝度比が予め設定した第１の判定値を超える場合には第１の閾値を設定し、前記算出した輝度差又は輝度比が第１の判定値以下で、かつ前記求めた黒部分の輝度値が予め設定した第２の判定値未満の場合には前記第１の閾値よりも小さい第２の閾値を設定し、前記算出した輝度差又は輝度比が第１の判定値以下で、かつ前記求めた黒部分の輝度値が前記第２の判定値以上の場合には前記第２の閾値よりも小さい第３の閾値を設定することを特徴とする請求項５に記載の解像度測定装置。
【請求項９】
請求項５乃至８のいずれかに記載の解像度測定装置の機能を、コンピュータに実現させることを特徴とする解像度測定プログラム。
【発明の詳細な説明】
【技術分野】
【０００１】
本発明は解像度測定方法、装置及びプログラムに係り、特に解像度測定対象であるデジタルカメラ等の撮像装置の解像度を測定する技術に関する。
【背景技術】
【０００２】
従来、デジタルカメラの解像度測定方法として、ＣＩＰＡ（有限責任中間法人カメラ映像機器工業会）ＤＣ-００３−２００３にて紹介されている方法がある。
【０００３】
また、特許文献１及び２には、黒５本、白４本の同じ幅の線幅が徐々に狭くなっている、くさびチャートの画像から解像度を自動的に測定することができる解像度測定方法について開示されている。
【特許文献１】特開２００３−９１９０号公報
【特許文献２】特開２００３−２５９４００号公報
【発明の開示】
【発明が解決しようとする課題】
【０００４】
しかしながら、特許文献１及び２に記載の解像度測定方法によって判定される算出解像度と、人の目視によって判定される視覚解像度とは、実際の絵作り（エッジ強調など）により誤差が生じ、特にコントラストが低い場合と高い場合とでは、算出解像度と視覚解像度とに差が生じるという問題がある。
【０００５】
本発明はこのような事情に鑑みてなされたもので、目視による解像度（解像感）に一致する解像度を測定することができる解像度測定方法、装置及びプログラムを提供することを目的とする。
【課題を解決するための手段】
【０００６】
上記目的を達成するために本発明に係る解像度測定方法は、解像度測定部分とコントラスト測定部分とを有する解像度測定用チャートを、解像度測定対象である撮像装置により撮像する工程と、前記撮像した前記解像度測定用チャートを示すチャート画像を入力する工程と、前記チャート画像のコントラスト測定部分の画像の輝度差又は輝度比を算出する工程と、前記算出した輝度差又は輝度比に基づいて解像度判定用の閾値を設定する工程と、前記チャート画像の解像度測定部分の画像の振幅値を算出する工程と、前記算出した振幅値が前記閾値を超えるか否かによって解像しているか否かを判定する工程と、を含むことを特徴としている。
【０００７】
本発明に係る解像度測定方法によれば、チャート画像のコントラストに応じて解像度判定用の閾値を設定するようにしたため、目視による解像度（解像感）に一致する解像度を測定することができる。
【０００８】
上記解像度測定方法において、前記閾値を設定する工程は、前記算出した輝度差又は輝度比が予め設定した第１の判定値を超える場合には第１の閾値を設定し、前記第１の判定値以下の場合には前記第１の閾値よりも小さい第２の閾値を設定することを特徴としている。人の目は、チャート画像のコントラストが低いと、解像度が高くなる方向に補正するが、コントラストが低い場合には、解像度判定用の閾値も低くするため、目視による解像感に一致する解像度を測定することができる。
【０００９】
上記解像度測定方法において、前記チャート画像のコントラスト測定部分の画像の黒部分の輝度値を求める工程を含み、前記閾値を設定する工程は、前記算出した輝度差又は輝度比と前記求めた黒部分の輝度値とに基づいて解像度判定用の閾値を設定することを特徴としている。即ち、チャート画像の黒部分の輝度値も前記閾値の設定に利用し、目視による解像感に一致する解像度を測定できるようにしている。
【００１０】
上記解像度測定方法において、前記閾値を設定する工程は、前記算出した輝度差又は輝度比が予め設定した第１の判定値を超える場合には第１の閾値を設定し、前記算出した輝度差又は輝度比が第１の判定値以下で、かつ前記求めた黒部分の輝度値が予め設定した第２の判定値未満の場合には前記第１の閾値よりも小さい第２の閾値を設定し、前記算出した輝度差又は輝度比が第１の判定値以下で、かつ前記求めた黒部分の輝度値が前記第２の判定値以上の場合には前記第２の閾値よりも小さい第３の閾値を設定することを特徴としている。人の目は、チャート画像の黒部分の輝度値が大きい（グレー側に浮いている）と、解像度測定部分を読み取る方向（解像度が高くなる方向）に補正するため、コントラストが低い場合でも、黒部分の輝度値の大きさによって解像度判定用の閾値の大きさを変更するようにしている。
【００１１】
また、本発明に係る解像度測定装置は、解像度測定部分とコントラスト測定部分とを有する解像度測定用チャートと、解像度測定対象である撮像装置から前記解像度測定用チャートを撮像して得たチャート画像を入力する画像入力手段と、前記入力したチャート画像のコントラスト測定部分の画像の輝度差又は輝度比を算出する第１の算出手段と、前記算出した輝度差又は輝度比に基づいて解像度判定用の閾値を設定する閾値設定手段と、前記入力したチャート画像の解像度測定部分の画像の振幅値を算出する工程と、前記算出した振幅値が前記設定した閾値を超えるか否かによって解像しているか否かを判定する解像度判定手段と、を備えたことを特徴としている。
【００１２】
上記解像度測定装置において、前記閾値設定手段は、前記算出した輝度差又は輝度比が予め設定した第１の判定値を超える場合には第１の閾値を設定し、前記第１の判定値以下の場合には前記第１の閾値よりも小さい第２の閾値を設定することを特徴としている。
【００１３】
上記解像度測定装置において、前記チャート画像のコントラスト測定部分の画像の黒部分の輝度値を求める手段を更に備え、前記閾値設定手段は、前記算出した輝度差又は輝度比と前記求めた黒部分の輝度値とに基づいて解像度判定用の閾値を設定することを特徴としている。
【００１４】
上記解像度測定装置において、前記閾値設定手段は、前記算出した輝度差又は輝度比が予め設定した第１の判定値を超える場合には第１の閾値を設定し、前記算出した輝度差又は輝度比が第１の判定値以下で、かつ前記求めた黒部分の輝度値が予め設定した第２の判定値未満の場合には前記第１の閾値よりも小さい第２の閾値を設定し、前記算出した輝度差又は輝度比が第１の判定値以下で、かつ前記求めた黒部分の輝度値が前記第２の判定値以上の場合には前記第２の閾値よりも小さい第３の閾値を設定することを特徴としている。
【００１５】
本発明に係る解像度測定プログラムは、請求項５乃至８のいずれかに記載の解像度測定装置の機能を、コンピュータに実現させることを特徴としている。
【発明の効果】
【００１６】
本発明によれば、解像度測定用チャートを撮像したチャート画像のコントラストに応じて解像度判定用の閾値を設定するようにしたため、目視による解像度（解像感）と一致する解像度を測定することができる。
【発明を実施するための最良の形態】
【００１７】
以下、添付図面に従って本発明に係る解像度測定方法、装置及びプログラムの好ましい実施の形態について説明する。
【００１８】
図１は本発明の一実施形態に係る解像度測定装置を模式的に示すブロック図である。同図に示す解像度測定装置１０は、デジタルカメラ等の撮像装置１２によって撮像された解像度測定用チャート１４のチャート画像１４’を解析して、撮像装置１２の撮影レンズや撮像素子の解像度を測定するための装置であり、例えば、解像度を測定するためのアプリケーションソフト（解像度測定プログラム１６）がインストールされたパーソナルコンピュータ（ＰＣ）である。尚、解像度測定用チャート１４を撮像する際には、撮像装置１２の撮像素子の結像面（図示せず）と解像度測定用チャート１４とが略平行になるように、図示せぬ設置台やアーム、三脚等によりそれぞれ固定される。
【００１９】
図２は解像度測定装置１０の主要構成を示すブロック図である。同図において、中央処理装置（ＣＰＵ）２０は、バス２２を介して解像度測定装置１０の各ブロックに接続されており、キーボード２４やマウス２６、その他の図示せぬ操作スイッチからの操作入力に基づいて各ブロックを統括制御する。
【００２０】
キーボード２４及びマウス２６は、入力デバイスコントローラ２８を介してバス２２に接続される。入力デバイスコントローラ２８は、キーボード２４及びマウス２６からの操作入力に応じてＣＰＵ２０に信号を入力する。
【００２１】
メモリ３０は、ＣＰＵ２０が処理するプログラム及び制御に必要な各種データ等が格納されるＲＯＭ（Read Only Memory）や、撮像装置１２から入力された画像が格納される記憶領域、ＣＰＵ２０が各種の演算処理等を行う作業用領域となるＳＤＲＡＭ（Synchronous Dynamic Random Access Memory）等を備える。また、ハードディスク装置（ＨＤＤ）３２は、ＣＰＵ２０が処理するプログラム及び制御に必要な各種データ等を格納するとともに、撮像装置１２から入力された画像を格納するための記憶装置であり、上記した解像度測定プログラム１６等を格納する。
【００２２】
ディスプレイ３４は、撮像装置１２から入力された画像や各種の操作メニュー等を表示するための装置であり、ディスプレイコントローラ３６により制御される。通信インターフェース（Ｉ／Ｆ）部３８は、撮像装置１２等の外部機器とデータの送受信を行うための装置である。
【００２３】
図３は本発明に適用される解像度測定用チャート１４を示す平面図である。
【００２４】
同図に示す解像度測定用チャート１４は、例えば、白色背景に、黒色の解像度測定用パターン（解像度測定部分）５０、及びコントラスト測定用パターン（コントラスト測定部分）５６等が描画されている。また、解像度測定用パターン５０の近傍には、解像度測定用パターン５０の位置の検出に用いられるパターン位置特定用マーカ６０が描画されている。尚、図３に示す縞模様６２は、撮像装置１２のオートフォーカス制御を容易にするために描画されたものである。
【００２５】
図３に示すように、解像度測定用パターン５０は、解像度測定用チャート１４の中央及び四隅に合計５つ描画されている。また、解像度測定用パターン５０は、水平方向の解像度を測定するための水平方向解像度測定用パターン５０Ｈ及び垂直方向の解像度を測定するための垂直方向解像度測定用パターン５０Ｖから構成される。
【００２６】
＜コントラスト測定＞
図４はコントラスト測定用パターン５６を拡大して示す平面図である。
【００２７】
コントラスト測定用パターン５６は、解像度測定用チャート１４上に複数配置されており（図３参照）、白パッチ８０Ｗ、黒パッチ８０Ｂ、解像度測定用チャート１４の縦方向及び横方向に対して傾いた黒線がその太さの間隔を空けて配置された高周波域パターン８２及び低周波域パターン８４を含んでいる。高周波域パターン８２の方が低周波域パターン８４より細くなっている。尚、図中の符号８６は、コントラスト測定用パターン５６の位置を特定するためのマーカである。
【００２８】
図５はチャート画像１４′のコントラストの測定処理の流れを示すフローチャートである。
【００２９】
まず、チャート画像１４′のコントラスト測定用パターン５６の白パッチ８０Ｗの輝度Ｌ８０Ｗ及び黒パッチ８０Ｂの輝度Ｌ８０Ｂを算出し、これらの輝度の差（Ｌ８０Ｗ−Ｌ８０Ｂ）を算出する（ステップＳ１０）。これがコントラスト測定用パターン５６における輝度差の最大値である。
【００３０】
次に、高周波域パターン８２の黒線８２Ｂの輝度Ｌ８２Ｂ及び黒線８２Ｂの間の白い領域８２Ｗの輝度Ｌ８２Ｗを測定し、高周波域パターン８２の輝度差の上記輝度差の最大値に対する比：（Ｌ８２Ｗ−Ｌ８２Ｂ）／（Ｌ８０Ｗ−Ｌ８０Ｂ）を算出する（ステップＳ１２）。
【００３１】
同様にして、低周波域パターン８４の黒線８４Ｂの輝度Ｌ８４Ｂ及び黒線８４Ｂの間の白い領域８４Ｗの輝度Ｌ８４Ｗを測定し、低周波域パターン８４の輝度差の上記輝度差の最大値に対する比：（Ｌ８４Ｗ−Ｌ８４Ｂ）／（Ｌ８０Ｗ−Ｌ８０Ｂ）を算出する（ステップＳ１４）。これにより、撮像装置１２のコントラストの精度を測定することができる。
【００３２】
＜解像度測定の概要＞
図６は解像度測定用パターン５０を拡大して示す平面図である。
【００３３】
同図に示すように、水平方向の解像度測定用パターン５０Ｈは、Ｙ方向に長い黒線７０がＸ方向に複数配置されたパターンを含む複数の階層７２から構成されるブロックチャートである。黒線７０の太さは階層７２ごとに異なっており、図６に示す例では＋Ｙ方向の階層７２ほど細くなっている。
【００３４】
各階層７２は、複数の（図６では４つ）ブロック７４を含んでいる。ブロック７４は４本の黒線７０から構成され、各階層７２において４つのブロック７４は所定の間隔で配置される。また、各ブロック７４において４本の黒線７０は、等間隔（黒線７０の太さと同じ間隔）で配置される。
【００３５】
この解像度測定用パターン５０を用いて解像度を測定する場合には、解像度測定装置１０は、図６の矢印に示すように、低解像度側の階層７２から高解像度側の階層７２に向かって順次スキャンする。
【００３６】
各階層７２のスキャン時に、ブロック７４を＋Ｘ方向に複数回（例えば、３回）スキャンして、白背景と黒線７０との輝度差（振幅）が所定の閾値ＥＴＨ以上となる回数をカウントする。
【００３７】
ここで、解像度測定装置１０は、複数回のスキャンのすべてにおいて、１つのブロック７４の黒線７０を４本として検出した場合、撮像装置１２がこの階層７２の解像度を有すると判断し、次に高解像度側の階層７２のスキャンに移行する。即ち、上記の階層７２のスキャン終了位置からスキャン開始位置を＋Ｙ方向に所定の間隔（スキャン間隔）ずつずらしながら＋Ｘ方向のスキャンを繰り返し、次の階層７２について上記と同様の処理を行う。
【００３８】
一方、１つのブロック７４の黒線７０を４本として検出できなかった場合、解像度測定装置１０は、次のブロック７４を同様にスキャンする。そして、４つのブロック７４のうちいずれか１つでも黒線７０を４本として検出できれば、撮像装置１２がこの階層７２の解像度を有すると判断し、次に高解像度側の階層７２のスキャンに移行する。
【００３９】
また、４つのブロック７４のすべてについて黒線７０を４本として検出できなかった場合には、解像度測定装置１０は、撮像装置１２がこの階層７２の解像度を有しないと判断する。そして、次に高解像度側の階層７２のスキャンに移行する。
【００４０】
次に、上記の処理を繰り返して、４本の黒線７０を分解して検出（解像）できた、最も高解像度側の階層７２の段数から、解像度測定対象の撮像装置１２の解像度を特定する。
【００４１】
＜解像度測定方法の第１実施形態＞
図７は本発明に係る解像度測定方法の第１実施形態を示すフローチャートであり、特に白背景と黒線７０との輝度差（振幅）の大きさ（黒線７０の有無）を判定するための閾値の設定方法に関して示している。
【００４２】
図７において、標準的な閾値ＥＴＨ０を設定する（ステップＳ１００）。この閾値ＥＴＨ０としては、全階調が８ビット（０〜２５５）の場合には、例えば、ＥＴＨ０＝２０とする。
【００４３】
続いて、解像度測定装置１０は、図３に示したコントラスト測定用パターン５６の白パッチ８０Ｗの輝度値Ａ、及び黒パッチ８０Ｂの輝度値Ｂを測定する（ステップＳ１０２、Ｓ１０４）。
【００４４】
次に、上記測定した白パッチ８０Ｗの輝度値Ａと黒パッチ８０Ｂの輝度値Ｂとの差分Ｃ（＝Ａ−Ｂ）を計算する。この差分Ｃが大きいほど、コントラストが高い。
【００４５】
そして、前記差分Ｃが予め設定した判定値Ｄ１（例えば、Ｄ１＝２００）以下か否かを判別する（ステップＳ１０８）。差分Ｃが判定値Ｄ１を超えていると判別されると（ＮＯの場合）、ステップＳ１００で設定した閾値ＥＴＨ０を、ステップＳ１１０での解像度判定における黒線７０の有無を判定するための閾値として使用する。尚、ステップＳ１１０での解像度判定は、図６を参照して説明した方法によって行われる。
【００４６】
一方、差分Ｃが判定値Ｄ１以下と判別されると（ＹＥＳの場合）、閾値ＥＴＨ０よりも小さい閾値ＥＴＨ１（例えば、ＥＴＨ１＝１４）に変更し、ステップＳ１１０に移行する（ステップＳ１１２）。
【００４７】
例えば、白パッチの輝度値Ａ＝２３０、黒パッチの輝度値Ｂ＝２０の場合には、差分Ｃ（＝２１０）＞２００となり、閾値ＥＴＨ０として２０が設定され、また、白パッチの輝度値Ａ＝２００、黒パッチの輝度値Ｂ＝３０の場合には、差分Ｃ（＝１７０）≦２００となり、閾値ＥＴＨ１として１４が設定される。
【００４８】
即ち、人の目は、解像度測定用パターン５０のコントラストが低いと（差分Ｃが小さいと）、解像度測定用パターン５０を読み取る方向（解像度が高くなる方向）に補正するため、コントラストの大きさに応じて解像度判定用の閾値の大きさを変更し、測定される解像度が、目視による解像感に一致するようにしている。
【００４９】
＜解像度測定方法の第２実施形態＞
図８は本発明に係る解像度測定方法の第２実施形態を示すフローチャートである。尚、図７に示したフローチャートと共通する部分には、同一のステップ番号を付し、その詳細な説明は省略する。
【００５０】
図８に示す第２実施形態の解像度測定方法は、図７に示した第１実施形態の解像度測定方法と比較して、点線で囲んだステップＳ１２０及びＳ１２２の処理が追加されている点で相違する。
【００５１】
即ち、白パッチ８０Ｗの輝度値Ａと黒パッチ８０Ｂの輝度値Ｂとの差分Ｃが判定値Ｄ１以下と判別されると（ＹＥＳの場合）、続いて、黒パッチ８０Ｂの輝度値Ｂが、予め設定した判定値Ｄ２（例えば、Ｄ２＝２０）以下か否かを判別する（ステップＳ１２０）。
【００５２】
そして、黒パッチ８０Ｂの輝度値Ｂが判定値Ｄ２未満と判別されると（ＮＯの場合）、
ステップＳ１１０での解像度判定における黒線７０の有無を判定するための閾値として、
閾値ＥＴＨ０よりも小さく、閾値ＥＴＨ１よりも大きい閾値ＥＴＨ２（例えば、ＥＴＨ２＝１８）に変更する（ステップＳ１２２）。
【００５３】
一方、黒パッチ８０Ｂの輝度値Ｂが判定値Ｄ２以上と判別されると（ＹＥＳの場合）、ステップＳ１１２に移行し、ステップＳ１１２で設定した閾値ＥＴＨ１を、ステップＳ１１０での解像度判定における黒線７０の有無を判定するための閾値として使用する。
【００５４】
従って、差分Ｃ＞Ｄ１の場合には、閾値ＥＴＨ０（＝２０）が設定され、差分Ｃ≦Ｄ１、かつ輝度値Ｂ＜Ｄ２の場合には、閾値ＥＴＨ２（＝１８）が設定され、差分Ｃ≦Ｄ１、かつ輝度値Ｂ≧Ｄ２の場合には、閾値ＥＴＨ１（＝１４）が設定される。
【００５５】
即ち、人の目は、解像度測定用パターン５０の黒線の輝度値が大きい（グレー側に浮いている）と、解像度測定用パターン５０を読み取る方向（解像度が高くなる方向）に補正するため、黒線の輝度値（黒パッチの輝度値Ｂ）の大きさに応じて解像度判定用の閾値の大きさを変更し、測定される解像度が、目視による解像感に一致するようにしている。
【００５６】
＜解像度測定方法の第３実施形態＞
図９は本発明に係る解像度測定方法の第３実施形態を示すフローチャートである。尚、図７に示したフローチャートと共通する部分には、同一のステップ番号を付し、その詳細な説明は省略する。
【００５７】
図９に示す第３実施形態の解像度測定方法は、図７に示した第１実施形態の解像度測定方法と比較して、第１実施形態のステップＳ１０６，Ｓ１０８が、点線で囲んだステップＳ２００及びＳ２０２の処理に変更されている点で相違する。
【００５８】
即ち、第１実施形態の解像度測定方法では、白パッチ８０Ｗの輝度値Ａと黒パッチ８０Ｂの輝度値Ｂとの差分Ｃ（＝Ａ−Ｂ）を計算したが、第３実施形態の解像度測定方法は、白パッチ８０Ｗの輝度値Ａと黒パッチ８０Ｂの輝度値Ｂとの差と和の比Ｃ（＝（Ａ−Ｂ）／（Ａ＋Ｂ）を計算する（ステップＳ２００）。この比Ｃが大きいほど、コントラストが高い。
【００５９】
そして、前記算出した比Ｃが判定値Ｄ３（例えば、Ｄ３＝０．７）以下か否かを判別する（ステップＳ２０２）。比Ｃが判定値Ｄ３を超えていると判別されると（ＮＯの場合）、ステップＳ１１０に移行し、比Ｃが判定値Ｄ３以下と判別されると（ＹＥＳの場合）、ステップＳ１１２０に移行する。
【００６０】
＜解像度測定方法の第４実施形態＞
図１０は本発明に係る解像度測定方法の第４実施形態を示すフローチャートである。尚、図８及び図９に示したフローチャートと共通する部分には、同一のステップ番号を付し、その詳細な説明は省略する。
【００６１】
図１０に示す第４実施形態の解像度測定方法は、図９に示した第３実施形態の解像度測定方法と比較して、点線で囲んだステップＳ１２０及びＳ１２２の処理が追加されている点で相違する。
【００６２】
この点線で囲んだステップＳ１２０及びＳ１２２では、図８に示した第２実施形態の解像度測定方法と同じ処理を行う。即ち、黒パッチ８０Ｂの輝度値Ｂが、予め設定した判定値Ｄ２（例えば、Ｄ２＝２０）以下か否かを判別し（ステップＳ１２０）、黒パッチ８０Ｂの輝度値Ｂが判定値Ｄ２未満と判別されると（ＮＯの場合）、ステップＳ１００で設定した閾値ＥＴＨ０を、この閾値ＥＴＨ０よりも小さく、閾値ＥＴＨ１よりも大きい閾値ＥＴＨ２（例えば、ＥＴＨ２＝１８）に変更する（ステップＳ１２２）。
【００６３】
尚、図９及び図１０に示した第３実施形態及び第４実施形態のステップＳ２００では、白パッチ８０Ｗの輝度値Ａと黒パッチ８０Ｂの輝度値Ｂとの差と和の比Ｃ（＝（Ａ−Ｂ）／（Ａ＋Ｂ）を計算するようにしたが、白パッチ８０Ｗの輝度値Ａと黒パッチ８０Ｂの輝度値Ｂとの比Ｃ’（＝Ａ／Ｂ）を計算するようにしてもよい。この比Ｃ’が大きいほど、コントラストが高い。そして、この比Ｃ’の大きさに伴う閾値を変更するコントラストの大きさの判定値Ｄとしては、例えばＤ＝７を使用する。
【００６４】
また、解像度判定用の閾値の数値、閾値を変更する条件であるコントラストや黒の輝度値、及び設定する閾値の個数等は、この実施の形態に限定されない。更に、設定された閾値を用いた解像度測定方法もこの実施の形態に限定されない。
【図面の簡単な説明】
【００６５】
【図１】図１は本発明の一実施形態に係る解像度測定装置を模式的に示すブロック図である。
【図２】図２は解像度測定装置の主要構成を示すブロック図である。
【図３】図３は解像度測定用チャートを示す平面図である。
【図４】図４はコントラスト測定用パターンを拡大して示す平面図である。
【図５】図５はコントラストの測定処理の流れを示すフローチャートである。
【図６】図６は解像度測定用パターンの一部を拡大して示す図である。
【図７】図７は解像度測定方法の第１実施形態を示すフローチャートである。
【図８】図８は解像度測定方法の第２実施形態を示すフローチャートである。
【図９】図９は解像度測定方法の第３実施形態を示すフローチャートである。
【図１０】図１０は解像度測定方法の第４実施形態を示すフローチャートである。
【符号の説明】
【００６６】
１０…解像度測定装置、１２…撮像装置、１４…解像度測定用チャート、１６…解像度測定プログラム、２０…中央処理装置（ＣＰＵ）、２２…バス、２４…キーボード、２６…マウス、２８…入力デバイスコントローラ、３０…メモリ、３２…ハードディスク装置（ＨＤＤ）、３４…ディスプレイ、３６…ディスプレイコントローラ、３８…通信インターフェース（Ｉ／Ｆ）部、５０…解像度測定用パターン、５６…コントラスト測定用パターン、６０…パターン位置特定用マーカ、６２…オートフォーカス用の縞模様、７０…黒線、７２…階層、７４…ブロック、８０Ｗ…白パッチ、８０Ｂ…黒パッチ
【図１】
2007096699.tif 000003
【図２】
2007096699.tif 000004
【図３】
2007096699.tif 000005
【図４】
2007096699.tif 000006
【図５】
2007096699.tif 000007
【図６】
2007096699.tif 000008
【図７】
2007096699.tif 000009
【図８】
2007096699.tif 000010
【図９】
2007096699.tif 000011
【図１０】
2007096699.tif 000012